(57)【特許請求の範囲】
【請求項１】
グルコースをゴマ油中で加熱処理して得られる香味油を有効成分とするゴキブリ誘引剤。
【請求項２】
蛋白加水分解物及びグルコースをゴマ油中で加熱処理して得られる香味油を有効成分とするゴキブリ誘引剤。
【請求項３】
請求項１又は２に記載の香味油を０．１〜２０重量％含有するゴキブリ誘引剤。
【請求項４】
請求項１〜３のいずれか１項に記載のゴキブリ誘引剤を使用したゴキブリ駆除剤。
【発明の詳細な説明】
【０００１】
【発明の属する技術分野】
本発明は、ゴキブリ誘引剤及び駆除剤に関する。
【０００２】
【従来の技術】
従来、ゴキブリ捕獲器に用いる粘着剤やベイト剤（ゴキブリ毒餌）等には、ゴキブリ誘引剤として、様々な天然物質や合成物質が使用されている。例えば、モノテルペノイド系化合物（特開昭５６−２９５０２、同５６−３０９０５、同５６−３０９４０、同５６−７９６０２、同５６−７９６４０、同５６−８７５３６号公報）、ミリスチン酸、パルミチン酸等の脂肪酸及びそのエステル類（特開昭４４−３２０号公報）、テトラロール・ナフトール（特開昭６１−６９７０１号公報）、イリステクトラミンアルコール（特開昭６１−７２７０２号公報）、フェノール系化合物（特開昭６３−９６１０１号公報）、種子油（特開昭６２−１３５４０３号公報）、植物性食餌成分（特開平４−２３０６１０号公報）、植物精油（特開昭６３−２１８６０４、特開平２−６７２０３、特開平８−２６８８０２、特開平９−２９０５、特開平９−８７１１８号公報）、ソース香料（特開平８−２６８８０２号公報）がゴキブリ誘引剤として知られている。また、タンパク質又はアミノ酸の加水分解物と糖質を、水系の溶媒中で加熱し得られた生成物をゴキブリ誘引剤として使用する提案もなされている（特開昭５３−３５１３４、特開昭５７−９５９０４号公報）。
【０００３】
【発明が解決しようとする課題】
しかしながら、従来のゴキブリ誘引剤は、誘引性、摂食性、経済性、効果の持続性等の点で、必ずしも満足が行くものではなかった。特に糖質を有効成分とするゴキブリ誘引剤は、ゴキブリに行動抵抗性を生じさせるとの報告がなされている（Silverman,J.,
Bieman, D. N.(1993) Journal of Insect Physiology.39, 925-933, Silverman,J.,
Ross,M. H.(1994) Environmental Entomology. 23, 425-430）。
また、合成品のゴキブリ誘引剤の大部分は、上記の点で十分でなく、特に経済性の点で問題があった。
さらに、上記した、タンパク質又はアミノ酸の加水分解物と糖質を、水系の溶媒中で加熱して得られる生成物は、誘引性の点で満足の出来るものではなかった。また、植物性食餌成分、種子油、植物精油等の植物成分からなるゴキブリ誘引剤は、誘引性のない成分も多数含み、しかも、成分のほとんどが変質しやすいことから、酸化防止剤等を多量に配合する必要があり、そのため、経済性や効果の持続性の点で問題があった。
そこで、本発明は、誘引性、摂食性、経済性及び効果の持続性の点で優れたゴキブリ誘引剤及び駆除剤の提供を課題とする。
【０００４】
【課題を解決するための手段】
本発明者らは、上記課題を解決するため、既存の嗜好食品に用いられる各種の調味料等について種々検討した結果、香味油が高いゴキブリ誘引性を有することを見出し、この知見を基に本発明を完成した。
すなわち、第一の発明は、タンパク質類、アミノ酸類及び糖類よりなる群から選ばれる１種又は２種以上を油脂中で加熱処理して得られる香味油を有効成分とするゴキブリ誘引剤である。第二の発明は、上記のゴキブリ誘引剤を使用したゴキブリ駆除剤である。
【０００５】
【発明の実施の形態】
第一の発明のゴキブリ誘引剤は、上記したように、香味油を有効成分として配合していることを特徴とする。この香味油は、タンパク質類、アミノ酸類、糖類を単独又は任意に組み合わせ、油脂中で加熱処理し、その後、濾紙等を用いて沈殿物を取り除くことにより調製されるものである。ここで、加熱処理条件は、加熱温度が６０℃〜１８０℃、好ましくは８０℃〜１５０℃、加熱時間が５分〜５時間、好ましくは１０分〜３時間である。
【０００６】
香味油の調製に用いる油脂は、各種の植物油又は動物油である。植物油としては、木ロウ、ヤシ油、カカオ油、コーン油、菜種油、ゴマ油、ヒマシ油、オリーブ油、落花生油、アマニ油、キリ油、麻実油、エノ油、サフラー油、ババスウ油、米油、大豆油、ヒマワリ油、カポック油、茶油、ツバキ油、パーム油、パーム核油、又はこれらの精製油、サラダ油等が挙げられる。
また、動物油としては、体脂、バター脂、脚脂、鳥類・爬虫類・両生類・節足動物類等の油、鯨油、イルカ油、イワシ油、ニシン油、タラ肝油、サメ肝油、イカ油、ハマグリ油、卵油又はこれらの精製油等が挙げられる。
【０００７】
香味油の調製に用いるタンパク質類は、植物性、動物性の何れでもよい。植物性タンパク質類としては、エデスチン、ゼイン、グリジアン、アラチン、ツェイン、グルテン、ジャガイモ・サツマイモ・タロイモ・サトイモ・ナガイモ・トウモロコシから得られるデンプン粉、小麦粉、米粉、フスマ、大豆・メンジツ・ナタネ・ゴマ・アワ・ヒエ・タマネギ・バナナ・落花生・カボチャ種・ソラマメ・ヒマワリ種等から得られる固形物、液体、及びこれらの加工物、例えば、麹、酒粕、オカラ、コメヌカ及び上記植物種子の絞り粕の加工物が挙げられる。
また、動物性タンパク質類としては、アクチン、アルブミン、フィブリン、フィブリノーゲン、カゼイン、ゼラチン、ケラチン、グロブリン（痾、竈、繃）、ヘモグロビン、ミオシン、さらに、タマゴ、魚粉、ミルク、チーズ、飼料用馬肉、フィッシュソルブレ・イナゴ・バッタ・カマキリ・コオロギ・ハチ・アブラムシ・ゴキブリ・ガ・チョウ・ハエ・ウスバカゲロウ・カ・アリ・アカムシ・カイコ・ザザムシ・ミミズ・ゴカイ・オキアミ・エビその他の動物体の粉やその抽出物、酵素分解物、加水分解物等が挙げられる。
香味油の調製において、上記タンパク質類は、油脂１重量部に対して、約０．０１〜０．３重量部、好ましくは約０．０３〜０．２重量部を添加する。
【０００８】
香味油の調製に用いるアミノ酸類としては、例えば、アラニン、バリン、ロイシン、イソロイシン、アスパラギン酸及びその塩、グルタミン酸及びその塩、セリン、メチオニン、ヒスチジン、プロリン、フェニルアラニン、アルギニン、チロシン、シスチン、システイン等又は動植物タンパク質類の加水分解物が挙げられ、これら中の１種又は２種以上を混合して使用することができる。
香味油の調製において、上記アミノ酸類は、油脂１重量部に対して、０．０１〜０．３重量部、好ましくは０．０２〜０．２重量部を添加する。
【０００９】
香味油の調製に用いる糖類は、食品等に一般的に使用されるものでよい。例えば、アラビノース、グルコース、ラクトース、フラクトース、マルトース、ガラクトース、スクロース等の単糖類及び少糖類又はこれらの糖類を含有する物質、並びにそれらの混合物が挙げられる。
香味油の調製において、上記糖類は、油脂１重量部に対して、０．０１〜０．３重量部、好ましくは０．０２〜０．２重量部を添加する。
【００１０】
香味油の調製には、上記成分の他に、所望により、例えば、醤油、酵母エキス等の調味料類、例えば、タマネギ、ニンジン、ネギ等の野菜類、ペッパー、クローブ、オールスパイス等の香辛料類、リンゴ、バナナ等の果実類及びそれらの乾燥物を適宜使用することができる。
また、タンパク質類、アミノ酸類及び糖類の油脂への溶解性を高めるために、グリセリン、水等を必要に応じて配合してもよい。
【００１１】
本発明のゴキブリ誘引剤は、香味油をそのまま直接使用する他、液体担体に溶解、分散した粘着剤等の液状剤や固体担体に該液状剤を塗布、含浸した誘引シート、誘引プレート、誘引テープ等の固形剤として使用することができる。
また、ゴキブリ誘引剤における香味油の濃度は、ゴキブリ誘引剤の形態、製造コスト等に応じて適宜決定すればよいが、一般には、香味油に関しては、０．１〜２０重量％とするのが、性状、効果、製造コスト等の点で好ましい。
上記液体担体としては、例えば、アセトン、メタノール、エタノール、テトラヒドロフラン、エチレングリコール、ジエチレングリコール、ジメチルホルムアミド等の親水性有機溶媒が挙げられる。
また、上記固体担体としては、例えば、濾紙、厚紙、不織布、綿布、フランネルが挙げられる。その他、香味油に、乳化剤、分散剤、浸透剤、懸濁剤、湿潤剤、展着剤、賦形剤、安定化剤、蛋白加水分解物、アミノ酸類等の有機物、糖類、水等を添加して本発明のゴキブリ誘引剤を水和剤、油剤、粉剤、顆粒剤、丸剤、錠剤、噴霧剤、ゲル剤等の形態とすることができる。
【００１２】
第二の発明のゴキブリ駆除剤は、上記ゴキブリ誘引剤を使用したものであり、各種形態とすることができる。具体的には、トラップ容器に誘引粘着シート、同プレート、同テープを装着したゴキブリ捕獲器、殺虫薬と共に配合したベイト剤や噴霧剤等が挙げられる。
上記殺虫薬には、ピレスロイド化合物、有機リン系化合物、カルバメート化合物、Ｎ−アリールジアゾール化合物、ヒドラメチルノン、天然殺虫成分、ホウ酸等の殺虫活性化合物、幼若ホルモン様化合物、キチン合成阻害化合物、アザディラクチン、脱皮阻害化合物、エクダイソン不活化阻害化合物等の昆虫成長制御化合物、微生物であるバチルス
チューリンゲンシス（Bacillus thuringiensis）産生毒素化合物等の生物薬剤及びそれらの混合物が例示される。
また、ゴキブリ駆除剤における香味油の濃度は、ゴキブリ誘引剤の場合と同様の理由から、一般には、香味油に関しては、駆除剤全体に対して０．１〜２０重量％である。
【００１３】
【実施例】
次に、実施例を示し、本発明を具体的に説明するが、本発明は下記の実施例に制限されるものではない。
【００１４】
＜実施例１＞
ゴマ油６００ｇ、調味油３６ｇ、グリセリン１２ｇ、蛋白加水分解物３６ｇ、グルコース３６ｇの混合物を１１０〜１２０℃で３時間加熱攪拌した。次いで、冷却後、油層と水層を分離し、分離した油層を遠心分離して、清澄な香味油５４０ｇを得た。
【００１５】
＜実施例２＞
実施例１で得られた香味油１０ｇ、グリセリン５ｇ、水８ｇに約２００ｍｌのエタノールを加え、撹拌機で十分に撹拌し、得られた溶液を分注機により、幅２０ｃｍ、長さ５０ｃｍ、厚さ０．１ｃｍの不織布に均一に含浸させた後、エタノールが揮散するまでよく風乾させた。
次に、この含浸布を切断機によって、幅０．５ｃｍ、長さ２０ｃｍに切断し、誘引、摂食刺激テープを作製した。なお、このテープは、容器状ゴキブリ捕獲器の粘着板中央に設置して使用することができる。
【００１６】
＜実施例３＞
実施例１で得られた香味油１０ｇ、ホウ酸１００ｇ、溶性デンプン１５０ｇ、バレイショデンプン１５０ｇ、大豆油１０ｇ、水５９９．５ｇを混合し、適宜の大きさに成形してベイト剤を作製した。
【００１７】
＜実施例４＞
実施例１で得られた香味油５ｇ、グリセリン２．５ｇ、白色ワセリン１０ｇ、ｄ−フェノトリン７２．５ｇを混合し、幅５ｃｍ、長さ２００ｍのポリエチレンテープに塗布した。そして、このテープを幅５ｃｍ、長さ２０ｃｍに切断し、殺虫テープを作製した。
【００１８】
＜実施例５＞
実施例１で得られた香味油３ｇ、ピリプロキシフェン１ｇ、ソルビタントリオレエート０．０５ｇ、糖２０ｇ、水飴２０ｇ、水２０ｇ、菜種油１ｇ、ペクチン０．５２ｇ、クエン酸溶液３５０ｍｌ、クエン酸ナトリウム液４００ｍｌを用い、通常の方法でゼリー状ベイト剤を作製した。なお、ピリプロキシフェンは予め適量の水に対し、ソルビタントリオレエートを用いて懸濁液とした。また、作製上、香味油、ピリプロキシフェン、ソルビタントリオレエートは、加熱過程終了後、煮上がり温度に達した段階で配合した。
【００１９】
＜実施例６＞
実施例１で得られた香味油１０ｇ、ヒドラメチルノン５０ｇ、溶性デンプン２００ｇ、バレイショデンプン１５０ｇ、糖５ｇ、精製米油１ｇ、グリセリン１ｇ、水５８７ｇを混合し、適宜の大きさに成形してベイト剤を作製した。
【００２０】
＜試験例１＞
ホウ酸１０部、溶性デンプン１５部、バレイショデンプン１５部、糖５部よりなる混合物に、グリセリン０．０５部、実施例１で得られた香味油１部と水５２．９５部を加えて練り、団子状のベイト剤を検体として作製した。
一方、ホウ酸１０部、溶性デンプン１５部、バレイショデンプン１５部、糖５部よりなる混合物に、グリセリン０．０５部と水５３．９５部を加えて練り、団子状のベイト剤を対照として作製した。
供試虫として、ワモンゴキブリ、クロゴキブリ、ヤマトゴキブリ、チャバネゴキブリ、トウヨウゴキブリについて、それぞれ成虫３０頭、幼虫３０頭からなる群を３群ずつ用意した。約６畳の広さの部屋を８室用意し、Ａ群、Ｂ群の２群に分け、各々の群に試験実施１週間前から、各種供試虫を放し、十分に餌と水を与えておいた。Ａ群の部屋には検体のベイト剤を、Ｂ群の部屋には対照のベイト剤を、それぞれ５箇所に同量配置し、１日後の死亡数を調べた。
その結果、表１に示すように、検体のベイト剤は対照と比較して、ゴキブリの駆除率が非常に高く、特にチャバネゴキブリの駆除率が高かった。
【００２１】
【表１】
0004312305.tif 000002
【００２２】
【発明の効果】
本発明によれば、誘引性、摂食性、経済性及び効果の持続性の点で優れたゴキブリ誘引剤及び駆除剤を提供することができる。